(57)【特許請求の範囲】
【請求項１】
ドレイン水を排水するための長手方向に延びる排水路を有する通水部材と、該排水路の上方を覆う着脱自在な蓋部材とを備えるドレイン排水溝部材において、
前記通水部材は、前記排水路の外側に、長手方向に延びる縦溝を有し、
前記縦溝の内側に突出し且つ長手方向に延びるリブが、前記縦溝の両側壁に設けられており、２つの前記リブは、上下方向から所定の荷重が与えられることによってその間の距離が離間するように弾性変形可能であり、
前記蓋部材は、下方に突出し且つ長手方向に延びる突条部を裏面に有し、該突条部は基端側及び先端側のそれぞれに小径部及び大径部を有し、前記突条部が前記縦溝の中に収容されているときに、前記小径部と前記大径部とがなす段部に前記２つのリブが当接しており、
前記縦溝の側壁及び底面のうちの少なくともいずれか一方と、前記大径部との間に隙間が設けられていることを特徴とするドレイン排水溝部材。
【請求項２】
ドレイン水を排水するための長手方向に延びる排水路を有する通水部材と、該排水路の上方を覆う着脱自在な蓋部材とを備えるドレイン排水溝部材において、
前記通水部材は、前記排水路の外側に、長手方向に延びる縦溝を有し、
前記縦溝の内側に突出し且つ長手方向に延びるリブが、前記縦溝の両側壁に設けられており、２つの前記リブは、上下方向から所定の荷重が与えられることによってその間の距離が離間するように弾性変形可能であり、
前記蓋部材は、下方に突出し且つ長手方向に延びる突条部を裏面に有し、該突条部は基端側及び先端側のそれぞれに小径部及び大径部を有し、前記突条部が前記縦溝の中に収容されているときに、前記小径部と前記大径部とがなす段部に前記２つのリブが当接しており、
前記２つのリブのうち少なくとも一つの上面が、前記縦溝の内側に向けて傾斜していることを特徴とするドレイン排水溝部材。
【請求項３】
ドレインチューブ接続用部材が前記通水部材の一端に設けられて、前記排水路が閉塞されていることを特徴とする請求項１又は２に記載のドレイン排水溝部材。
【請求項４】
請求項１〜３のいずれか１項に記載のドレイン排水溝部材を施工する方法であって、
前記蓋部材の突条部を前記通水部材の２つのリブの間に圧入して、前記突条部の小径部と大径部とがなす段部に前記２つのリブを当接させることにより、前記蓋部材を前記通水部材に取り付ける工程を包含することを特徴とする、方法。
【発明の詳細な説明】
【技術分野】
【０００１】
本発明は、集合住宅等の給湯設備からのドレイン水を共用廊下の屋外床面に排水する際に使用されるドレイン排水溝部材に関する。
【背景技術】
【０００２】
従来のドレイン排水溝部材としては、例えば、以下の特許文献１に記載されるような、冷暖房機の外機からのドレイン水を排水する際に使用されるものが挙げられる。当該ドレイン排水溝部材は、ドレイン水を排水するための長手方向に延びる排水路を有する通水部材と、該排水路の上方を覆う蓋部材とを備え、排水路の両側壁に水平に形成された溝部にその両縁部を挿入した蓋部材を、通水部材に対して長手方向にスライドさせることによって蓋部材を脱着することができるように構成されている（例えば、特許文献１の図４及び図５参照）。
【先行技術文献】
【特許文献】
【０００３】
【特許文献１】特許第４８１８６８４号公報
【発明の概要】
【発明が解決しようとする課題】
【０００４】
通常、給湯設備からは冷暖房機の外機よりも多くのドレイン水が排出される。例えば、風呂焚きや食器洗い等を同時に行っている場合、給湯設備からは約３０ｍＬ／分という比較的多量のドレイン水が排出される。
【０００５】
冷暖房機の外機から排出されるドレイン水量は給湯設備と比べて少量であるため、多量のドレイン水に対して基本的には対応し難い設計となっている。例えば、冬季において外気温が夜間に低下すると、給湯設備とドレイン排水溝部材とを連結するドレインチューブの中に残存するドレイン水が凍結する。そして、日中に気温が上昇して、凍結したドレイン水が給湯設備側から徐々に溶けてゆき最後に先端部分が溶けると、ドレイン排水溝部材に流れ込むドレイン水に大きな水圧がかかるようになる。その結果、ドレイン排水溝部材の内側から上下方向及び幅方向に水圧が作用することによって、蓋部材の両縁部と通水部材の溝部との間に隙間が生じ易くなり、その隙間からドレイン水が漏れ出す虞がある。
【０００６】
従って本発明の目的は、排水路を有する通水部材と、該排水路の上方を覆う着脱自在な蓋部材とを備えるドレイン排水溝部材において、その水密性を向上させて、多量のドレイン水を排水する場合にも適用できるようにすることにある。
【課題を解決するための手段】
【０００７】
本発明のドレイン排水溝部材に係る特徴構成は、ドレイン水を排水するための長手方向に延びる排水路を有する通水部材と、該排水路の上方を覆う着脱自在な蓋部材とを備えるドレイン排水溝部材において、前記通水部材は、前記排水路の外側に、長手方向に延びる縦溝を有し、前記縦溝の内側に突出し且つ長手方向に延びるリブが、前記縦溝の両側壁に設けられており、２つの前記リブは、上下方向から所定の荷重が与えられることによってその間の距離が離間するように弾性変形可能であり、前記蓋部材は、下方に突出し且つ長手方向に延びる突条部を裏面に有し、該突条部は基端側及び先端側のそれぞれに小径部及び大径部を有し、前記突条部が前記縦溝の中に収容されているときに、前記小径部と前記大径部とがなす段部に前記２つのリブが当接しており、
前記縦溝の側壁及び底面のうちの少なくともいずれか一方と、前記大径部との間に隙間が設けられている点にある。
【０００８】
〔作用及び効果〕
本構成によれば、蓋部材における突条部の段部と、通水部材における２つのリブとの当接によって２重のシールが形成されるため、蓋部材と通水部材との間の水密性が高められる。即ち、ドレイン水が万一、縦溝における排水路に近い方の側壁に設けられているリブを乗り越えて漏れ出してしまった場合でも、もう一方のリブのシールによってドレイン水の漏れを防止することができる。
また仮に、大きな水圧がかかっているような大量のドレイン水が排水路に流れ込み、ドレイン排水溝部材の内側から上下方向及び幅方向のいずれの方向に水圧が作用したとしても、突条部の段部と通水部材の２つのリブとの密着度がますます強められる。即ち、上下方向の圧力に対しては、段部の横面とリブとの密着度が強くなり、幅方向の圧力に対しては、段部の縦面とリブとの密着度が強くなる。そのため、蓋部材と通水部材との間の水密性がさらに高められることとなり、ドレイン水が漏れることを確実に防止することができる。
一方、通水部材から蓋部材を取り外す際には、作業者が所定荷重以上の力で蓋部材を引き抜くようにするとリブが弾性変形して離間し、突条部の大径部が２つのリブの間を通過できるようになるため、蓋部材を取り外すことができる。
また本構成によれば、ドレイン水が万一、縦溝における排水路に近い方の側壁に設けられているリブを乗り越えて漏れ出してしまった場合でも、漏れ出したドレイン水を縦溝の中の隙間を通して排水することができる。
【００１１】
本発明のドレイン排水溝部材に係る特徴構成は、ドレイン水を排水するための長手方向に延びる排水路を有する通水部材と、該排水路の上方を覆う着脱自在な蓋部材とを備えるドレイン排水溝部材において、前記通水部材は、前記排水路の外側に、長手方向に延びる縦溝を有し、前記縦溝の内側に突出し且つ長手方向に延びるリブが、前記縦溝の両側壁に設けられており、２つの前記リブは、上下方向から所定の荷重が与えられることによってその間の距離が離間するように弾性変形可能であり、前記蓋部材は、下方に突出し且つ長手方向に延びる突条部を裏面に有し、該突条部は基端側及び先端側のそれぞれに小径部及び大径部を有し、前記突条部が前記縦溝の中に収容されているときに、前記小径部と前記大径部とがなす段部に前記２つのリブが当接しており、前記２つのリブのうち少なくとも一つの上面が、前記縦溝の内側に向けて傾斜している点にある。
【００１２】
〔作用及び効果〕
本構成によれば、蓋部材における突条部の段部と、通水部材における２つのリブとの当接によって２重のシールが形成されるため、蓋部材と通水部材との間の水密性が高められる。即ち、ドレイン水が万一、縦溝における排水路に近い方の側壁に設けられているリブを乗り越えて漏れ出してしまった場合でも、もう一方のリブのシールによってドレイン水の漏れを防止することができる。
また仮に、大きな水圧がかかっているような大量のドレイン水が排水路に流れ込み、ドレイン排水溝部材の内側から上下方向及び幅方向のいずれの方向に水圧が作用したとしても、突条部の段部と通水部材の２つのリブとの密着度がますます強められる。即ち、上下方向の圧力に対しては、段部の横面とリブとの密着度が強くなり、幅方向の圧力に対しては、段部の縦面とリブとの密着度が強くなる。そのため、蓋部材と通水部材との間の水密性がさらに高められることとなり、ドレイン水が漏れることを確実に防止することができる。
一方、通水部材から蓋部材を取り外す際には、作業者が所定荷重以上の力で蓋部材を引き抜くようにするとリブが弾性変形して離間し、突条部の大径部が２つのリブの間を通過できるようになるため、蓋部材を取り外すことができる。
また本構成によれば、蓋部材を通水部材に取り付けるために蓋部材の突条部を２つのリブの間に圧入する際、２つのリブのうち少なくとも一つがガイドの機能を果たすため圧入し易くなる。
【００１３】
第２特徴構成は、ドレインチューブ接続用部材が前記通水部材の一端に設けられて、前記排水路が閉塞されている点にある。
【００１４】
〔作用及び効果〕
本構成によれば、ドレインチューブ接続用部材を取り付けた部分の排水路からドレイン水が漏れ出すことはないため、ドレイン水は常に排水路の他端の方から排水されることになる。
【００１５】
本発明のドレイン排水溝部材を施工する方法に係る特徴構成は、上記特徴構成のいずれかに記載のドレイン排水溝部材を施工する方法であって、前記蓋部材の突条部を前記通水部材の２つのリブの間に圧入して、前記突条部の小径部と大径部とがなす段部に前記２つのリブを当接させることにより、前記蓋部材を前記通水部材に取り付ける工程を包含する点にある。
【００１６】
〔作用及び効果〕
本構成によれば、例えばローラー等を使用して、蓋部材を上から押圧しながら蓋部材を通水部材に取り付けていくことができるため、施工性が良い。
【図面の簡単な説明】
【００１７】
【図１】本発明のドレイン排水溝部材を適用した屋外床面設備の一例を示す斜視図である。
【図２】ドレイン排水溝部材の縦断面図である。
【図３】蓋部材を通水部材に取り付ける前の蓋部材及び通水部材のそれぞれの一部分を拡大した図である。
【図４】ドレイン排水溝部材におけるドレインチューブ接続用部材部分の縦断面図である。
【図５】ドレインチューブ接続用部材の斜視図である。
【図６】ドレインチューブ接続用部材の縦断面図である。
【図７】蓋部材を通水部材に取り付ける様子を示す図である。
【図８】蓋部材を通水部材に取り付ける際の通水部材のリブの動作を説明する図である。
【図９】ドレインチューブ接続用部材を通水部材に取り付ける様子を示す図である。
【図１０】本発明のドレイン排水溝部材の別実施形態を示す縦断面図である。
【発明を実施するための形態】
【００１８】
以下、本発明の実施形態を図面に基づいて説明する。
（ドレイン排水溝部材）
図１に示されるように、本実施形態に係るドレイン排水溝部材１は、集合住宅等の共通廊下Ｒ（屋外床面設備の一例）に設けられている。ドレイン排水溝部材１は、ドレイン水を排水するための長手方向に延びる排水路５を有する通水部材２と、該排水路５の上方を覆う着脱自在な蓋部材１１と、ドレインチューブ接続用部材１６とを備えて構成されている。
【００１９】
ドレイン排水溝部材１は、その長手方向において共通廊下Ｒの床面を横断し、その下流側端部が排水溝Ｈに臨むように配置されている。給湯設備Ｋとドレインチューブ接続用部材１６とがドレインチューブ２２を介して連結されており、給湯設備Ｋから排出されたドレイン水が、ドレインチューブ２２の中を通ってドレインチューブ接続用部材１６に流れ込み、さらにドレイン排水溝部材１の中の排水路５を通って排水溝Ｈに排水されるように構成されている。
【００２０】
（通水部材）
通水部材２は、全体が細長い略板状の部材である。図２に示されるように、本実施形態の通水部材２は、外形をなす本体３と、排水路５を形成する排水路部材４とを備える。排水路部材４は断面が略Ｃ字状であり、本体３の幅方向中央部分に嵌め込まれている。
【００２１】
図２に示されるように、排水路５は、通水部材２の幅方向中央部分に設けられている。排水路５の底面には、その幅方向の中央部分が最も浅くなるように、幅方向両側に傾斜する傾斜面が形成されている。これにより、給湯設備Ｋから少量のドレイン水が排出された場合であっても、傾斜面によって幅方向両側にドレイン水が集められるため流れ易くなる。
【００２２】
排水路５の両側壁の上端部分には、排水路５の内側に突出し且つ長手方向に延びる排水路リブ６が設けられている。
【００２３】
通水部材２の幅方向における排水路５の両外側のそれぞれに、長手方向に延びる縦溝７が設けられている。また、通水部材２の幅方向における縦溝７の外側には、長手方向に延びる丸底の溝８が複数設けられている。また通水部材２の裏面にも、長手方向に延びる丸底の溝８が複数設けられている。
【００２４】
縦溝７における排水路５に近い方の側壁の上端部分に第１リブ９が設けられており、縦溝７のもう一方の側壁に第２リブ１０が設けられている。第１リブ９及び第２リブ１０はいずれも長手方向に延びており、且つ略相対峙するように縦溝７の内側に突出している。
【００２５】
第１リブ９及び第２リブ１０は、上下方向から所定の荷重が与えられることによってその間の距離Ｌ１が離間するように弾性変形可能に構成されている。尚、本明細書でいう所定の荷重とは、排水路５を流れるドレイン水にかかる水圧よりも大きい力を意味する。
【００２６】
図３に示されるように、弾性変形する前の第１リブ９と第２リブ１０との間の距離Ｌ１は、後述する蓋部材１１の大径部１４の最大外径Ｌ２よりも小さく、且つ小径部１３の直径よりもわずかに大きい距離となるように設定されている。
【００２７】
また、弾性変形する前の第１リブ９と第２リブ１０は、縦溝７の内側に向けて傾斜している。これにより、蓋部材１１を通水部材２に取り付けるために蓋部材１１の突条部１２を第１リブ９と第２リブ１０との間に圧入する際、第１リブ９及び第２リブ１０がガイドの機能を果たすため圧入し易くなる。尚、本実施形態では、第１リブ９及び第２リブ１０の両方が、縦溝７の内側に向けて傾斜するように構成されているが、この構成に限定されるものではなく、傾斜は必要に応じて設けるようにしても良いし、あるいは第１リブ９及び第２リブ１０のうちの少なくともいずれか一方が縦溝７の内側に向けて傾斜するように構成して良い。
【００２８】
図２に示されるように、蓋部材１１が通水部材２に取り付けられている状態において、蓋部材１１における突条部１２の段部１５（図３参照）と、通水部材２における第１リブ９及び第２リブ１０との当接によって２重のシールが形成される。即ち、ドレイン水が万一、第１リブ９を乗り越えて漏れ出してしまった場合でも、もう一方の第リブ１０のシールによってドレイン水の漏れを防止することができるため、蓋部材１１と通水部材２との間の水密性が高められている。
【００２９】
また、蓋部材１１の突条部１２が縦溝７の中に収容されて蓋部材１１が通水部材２に取り付けられている状態において、縦溝７の側壁及び底面と、蓋部材１１の大径部１４との間に隙間が生じるように構成されている。これにより、ドレイン水が万一第１リブ９を乗り越えて漏れ出してしまった場合でも、漏れ出したドレイン水を縦溝７の中の隙間を通して排水することができる。尚、本実施形態では、縦溝７の側壁及び底面の両方と、蓋部材１１の大径部１４との間に隙間を設けるように構成されているが、この構成に限定されるものではなく、隙間は必要に応じて設けるようにしても良いし、あるいは縦溝７の側壁及び底面のうちの少なくともいずれか一方との間に隙間を設けるように構成して良い。
【００３０】
（蓋部材）
蓋部材１１は、細長い略板状の部材である。図２及び図３に示されるように、蓋部材１１の幅方向両端側のそれぞれの裏面には、下方に突出し且つ長手方向に延びる突条部１２が設けられている。突条部１２は基端側の小径部１３と先端側の大径部１４とからなり、小径部１３は円柱状であって、大径部１４はその最大外径Ｌ２が小径部１３よりも大きく半球面を有する。小径部１３の側面と大径部１４の上面とによって略直角の段部１５が形成されている。
【００３１】
図２に示されるように、蓋部材１１の突条部１２が縦溝７の中に収容されて蓋部材１１が通水部材２に取り付けられている状態において、通水部材２における第１リブ９及び第２リブ１０が、突条部１２の段部１５に当接する。
【００３２】
（ドレインチューブ接続用部材）
図４〜図６に示されるように、ドレインチューブ接続用部材１６は、ドレインチューブ２２を取り付けるための筒部と、板状部１８と、通水部材２の排水路５を閉塞するための閉塞部１９とを備える。板状部１８の幅方向両端側のそれぞれの裏面に、上述の蓋部材１１と同様の突条部１２が設けられており、板状部１８の裏面の幅方向中央部分に閉塞部１９が設けられている。
【００３３】
図６に示されるように、ドレインチューブ接続用部材１６の内部には空洞が形成されており、筒部の上端の上部開口２０と、ドレインチューブ接続用部材１６の裏面に設けられている下部開口２１とが連通している。図示しないが、ドレインチューブ接続用部材１６が通水部材２に取り付けられている状態において、下部開口２１が通水部材２の排水路５に通じるように構成されている。
【００３４】
上述の通水部材２、蓋部材１１、及びドレインチューブ接続用部材１６の構成素材としては、特に限定されるものではないが、例えば、ポリ塩化ビニルが好適である。また、通水部材２と蓋部材１１については、公知の押出成形法などによって製造することができ、ドレインチューブ接続用部材１６については、公知の射出成形方法などによって製造することができる。
【００３５】
（ドレイン排水溝部材の施工方法）
以下、上述のドレイン排水溝部材１の施工方法の一例について説明する。
先ず、共通廊下Ｒにおけるドレイン排水溝部材１の施工位置を決める。そして、通水部材２及び蓋部材１１を廊下の幅の長さに合わせて切断する。このとき、蓋部材１１については、通水部材２にドレインチューブ接続用部材１６を取り付けられるようにするために、通水部材２よりも若干短めにする。
【００３６】
施工位置となる廊下面に接着剤を塗布し、その上に通水部材２を貼りつけて固定する。
【００３７】
次いで、蓋部材１１の２つの突条部１２が、通水部材２の２つ縦溝７の上にそれぞれ配置されるように位置を合わせる。そして、図７に示されるように、例えばローラーＴ等を使用して、蓋部材１１を上から押圧しながら、蓋部材１１を通水部材２に取り付けていく。
【００３８】
このとき、図８に示されるように、通水部材２の第１リブ９と第２リブ１０との間に所定の荷重で蓋部材１１の突条部１２を圧入すると、第１リブ９と第２リブ１０が弾性変形して下に移動し、第１リブ９と第２リブ１０との間の距離Ｌ１がさらに離間するため、突条部１２の大径部１４が入り込める状態となる。
【００３９】
突条部１２の大径部１４が縦溝７の中に入り込み、突条部１２の小径部１３が、弾性変形する前の第１リブ９及び第２リブ１０があった高さ位置まで来ると、第１リブ９及び第２リブ１０は弾性復元力によって上に移動して、突条部１２の小径部１３と大径部１４とがなす段部１５に当接する。即ち、蓋部材１１の突条部１２が通水部材２の第１リブ９及び第２リブ１０との間に嵌り込み、第１リブ９及び第２リブ１０とが突条部１２の抜け止めとなることによって、蓋部材１１が通水部材２に取り付けられる。
【００４０】
図２に示されるように、蓋部材１１は、その幅方向両側部分が、通水部材２の第１リブ９、第２リブ１０、及び排水路リブ６によって支持されるようにして取り付けられる。このとき、蓋部材１１の幅方向両縁部は、通水部材２の縦溝７における第２リブ１０側の側壁と隙間なく密着すると共に、蓋部材１１の上面と通水部材２の上面とが略面一となる。尚、図２に示されるように、本実施形態のドレイン排水溝部材１全体の断面形状としては、なだらかに盛り上がる山状形状となる。
【００４１】
次いで、図９に示されるように、通水部材２におけるドレインチューブ接続用部材１６の取付部分（給湯設備Ｋ側に配置される通水部材２の端部分）の縦溝７の中に接着剤Ｓを入れ込む。さらに、図示しないが、ドレインチューブ接続用部材１６の裏面全体に接着剤Ｓを塗布する。そして、ドレインチューブ接続用部材１６の２つの突条部１２が、接着剤を入れ込まれた通水部材２の２つ縦溝７の上にそれぞれ配置されるように位置を合わせて、蓋部材１１の端部がドレインチューブ接続用部材１６の板状部１８の一部分の上に被さるようにしつつ、ドレインチューブ接続用部材１６を上から押圧しながら通水部材２に取り付ける。
【００４２】
このとき、図４に示されるように、通水部材２の縦溝７と蓋部材１１の大径部１４との間の隙間が接着剤Ｓによって閉塞されると共に、排水路５がドレインチューブ接続用部材１６の閉塞部１９と塗布された接着剤Ｓによって閉塞される。従って、ドレイン水は、ドレインチューブ接続用部材１６を取り付けた部分の排水路５及び縦溝７から漏れ出すことはなく、常に廊下の排水溝Ｈの方に流れることになる。
【００４３】
最後に、ドレインチューブ２２の一端部分をドレインチューブ接続用部材１６の筒部１７に接続し、他端を給湯設備Ｋに接続する。
【００４４】
一方、ドレイン排水溝部材１の排水路５内の掃除を行うために、蓋部材１１を取り外す場合は、作業者が所定荷重以上の力で蓋部材１１を引き抜くようにすると第１リブ９と第２リブ１０が弾性変形して離間し、突条部１２の大径部１４が第１リブ９と第２リブ１０との間を通過できるようになるため、蓋部材１１を取り外すことができる。
【００４５】
〔その他の実施形態〕
１．本発明のドレイン排水溝部材１は、給湯設備Ｋからのドレイン水の排水に限るものではなく、例えば、冷暖房機の外機からのドレイン水を排水する場合にも適用することができる。
２．本発明のドレイン排水溝部材１は、その他の屋外床面設備として、集合住宅等のベランダなどにも適用することができる。
３．上述の実施形態における通水部材２は、外形をなす本体３と、排水路５を形成する排水路部材４とを備えて構成されているが、この構成に限定されるものではなく、図１０に示されるように本体３と排水路部材４とが一体であっても良い。
【実施例】
【００４６】
上述の実施形態に係るドレイン排水溝部材について、以下の排水試験１、排水試験２、及び凍結性試験を実施した。
【００４７】
（排水試験１）
長さ１．８ｍのドレイン排水溝部材を、廊下の排水溝に向かって１／１００の下り勾配となるように設置した。そして、ドレインチューブに常温水を１００ｍＬ／分で供給し、ドレイン排水溝部材の端部からの排水を確認した後、そのまま常温水を２分間供給した。その結果、ドレイン排水溝部材における水漏れはなく、水がスムーズに排水されたことが確認された。
【００４８】
（排水試験２）
ドレインチューブとして高さ１ｍの硬質塩化ビニル縦管を使用し、長さ１．８ｍのドレイン排水溝部材を、廊下の排水溝に向かって１／１００の下り勾配となるように設置した。そして、縦管の最頂部に常温水を１００ｍＬ／分で供給し、ドレイン排水溝部材の端部からの排水を確認した後、そのまま常温水を２分間供給した。その結果、ドレイン排水溝部材における水漏れはなく、水がスムーズに排水されたことが確認された。
【００４９】
（凍結性試験）
長さ９００ｍｍのドレイン排水溝部材を、１／１００の下り勾配となるように設置した。そして、ドレインチューブに常温水を１００ｍＬ／分で２分間供給した後、このドレインチューブ付きドレイン排水溝部材を低温型高温槽（−１０℃±１℃）で３０分間凍結させた。そして、当該ドレインチューブ付きドレイン排水溝部材を低温型高温槽からとり出して、速やかに常温水を再び１００ｍＬ／分で２分間供給した。尚、試験室の温度は２３±２℃であった。その結果、ドレイン排水溝部材における水漏れはなく、水がスムーズに排水されたことが確認された。
【産業上の利用可能性】
【００５０】
本発明は、給湯設備や冷暖房機の外機等から排出されるドレイン水の排水に関わる産業分野において好適に利用することができる。
【符号の説明】
【００５１】
１  ドレイン排水溝部材
２  通水部材
３  本体
４  排水路部材
５  排水路
６  排水路リブ
７  縦溝
８  丸底の溝
９  第１リブ
１０  第２リブ
１１  蓋部材
１２  突条部
１３  小径部
１４  大径部
１５  段部
１６  ドレインチューブ接続用部材
１７  筒部
１８  板状部
１９  閉塞部
２０  上部開口
２１  下部開口
２２  ドレインチューブ
Ｌ１  第１リブと第２リブとの間の距離
Ｌ２  大径部の最大外径
Ｒ  共通廊下
Ｈ  排水溝
Ｋ  給湯設備
Ｔ  ローラ
【図１】
0006739239.tif 000002
【図２】
0006739239.tif 000003
【図３】
0006739239.tif 000004
【図４】
0006739239.tif 000005
【図５】
0006739239.tif 000006
【図６】
0006739239.tif 000007
【図７】
0006739239.tif 000008
【図８】
0006739239.tif 000009
【図９】
0006739239.tif 000010
【図１０】
0006739239.tif 000011